(57)【要約】【課題】解像度が均一な表示パネルを有し、表示画面の解像度が変化する部分で境界が視認されることを防止できる画像表示装置を提供する。【解決手段】画像表示装置は、均一な解像度を有する表示パネルと、複数の画素データを含む第１画像データをより少数の画素データを含む第２画像データに変換する画像データ変換部と、第２画像データに基づき表示パネルを駆動する駆動回路とを備える。表示パネルは、１個の画素データが１個の画素に書き込まれる第１領域と、１個の画素データが２個以上の画素に書き込まれる第２領域とを有すると共に、第３領域と第４領域とを有する。画像データ変換部は、第４領域内の画素の画素データに対して当該画素の基準位置からの距離に応じた演算を行い、第３領域内の画素の画素データに対して演算を行わない。【選択図】図３
2019120870.tif 000002
【特許請求の範囲】
【請求項１】
２次元状に配置された複数の画素を含み、均一な解像度を有する表示パネルと、
複数の画素データを含む第１画像データを、前記第１画像データよりも少数の画素データを含む第２画像データに変換する画像データ変換部と、
前記第２画像データに基づき、前記表示パネルを駆動する駆動回路とを備え、
前記表示パネルは、１個の画素データが１個の前記画素に書き込まれる第１領域と、１個の画素データが２個以上の前記画素に書き込まれる第２領域とを有すると共に、第３領域と第４領域とを有し、
前記画像データ変換部は、前記第４領域内の画素の画素データに対して当該画素の基準位置からの距離に応じた演算を行い、前記第３領域内の画素の画素データに対して前記演算を行わないことを特徴とする、画像表示装置。
【請求項２】
前記画像データ変換部は、前記表示パネルに含まれる画素について前記距離に基づき、演算対象の画素データの個数を示し、小数部を有するパラメータを求め、前記パラメータに応じた演算を行うことを特徴とする、請求項１に記載の画像表示装置。
【請求項３】
前記画像データ変換部は、前記距離に基づき前記パラメータを求める関数を有し、
前記関数は、前記距離が取り得る範囲内で連続していることを特徴とする、請求項２に記載の画像表示装置。
【請求項４】
前記関数は、前記距離が取り得る範囲内で滑らかに変化することを特徴とする、請求項３に記載の画像表示装置。
【請求項５】
前記関数の値は、前記第１領域内の一部の画素について１よりも大きいことを特徴とする、請求項４に記載の画像表示装置。
【請求項６】
前記関数の値は、前記第２領域内の画素について２以上であることを特徴とする、請求項４に記載の画像表示装置。
【請求項７】
前記関数の値は、前記第２領域内の画素について、当該画素と同じ画素データが書き込まれる画素の個数以上であることを特徴とする、請求項６に記載の画像表示装置。
【請求項８】
前記パラメータの整数部がＹａのとき、前記画像データ変換部は、第１方向に並んだＹａ個の画素の画素データ、および、前記Ｙａ個の画素に前記第１方向に隣接する第１および第２画素の画素データに対して前記演算を行うことを特徴とする、請求項２に記載の画像表示装置。
【請求項９】
前記パラメータの小数部がＹｂのとき、前記画像データ変換部は、前記Ｙａ個の画素の画素データ、前記第１画素の画素データと（Ｙｂ／２）の積、および、前記第２画素の画素データと（Ｙｂ／２）の積を加算し、前記パラメータで除算する演算を行うことを特徴とする、請求項８に記載の画像表示装置。
【請求項１０】
前記表示パネルは、水平方向に順に並んだ前記第２領域、前記第１領域、および、前記第２領域を有し、
前記画像データ変換部は、水平方向に並んだ前記画素の画素データに対して前記演算を行うことを特徴とする、請求項２に記載の画像表示装置。
【請求項１１】
前記表示パネルは、水平方向に順に並んだ前記第２領域、前記第１領域、前記第２領域、前記第１領域、および、前記第２領域を有し、
前記画像データ変換部は、水平方向に並んだ前記画素の画素データに対して前記演算を行うことを特徴とする、請求項２に記載の画像表示装置。
【請求項１２】
前記表示パネルは、中央部に前記第１領域を有し、周辺部に前記第２領域を有し、
前記画像データ変換部は、水平方向に並んだ前記画素の画素データに対して前記演算を行うと共に、垂直方向に並んだ前記画素の画素データに対して前記演算を行うことを特徴とする、請求項２に記載の画像表示装置。
【請求項１３】
前記関数は、前記表示パネルの中心からの距離に基づき前記パラメータを求めることを特徴とする、請求項３に記載の画像表示装置。
【請求項１４】
前記関数は、前記表示パネルの一辺からの距離に基づき前記パラメータを求めることを特徴とする、請求項３に記載の画像表示装置。
【請求項１５】
前記関数は、前記画素の色に応じて異なることを特徴とする、請求項３に記載の画像表示装置。
【請求項１６】
前記表示パネルは、赤画素と緑画素と青画素とを含み、
前記青画素用の関数は、前記赤画素用の関数、および、前記緑画素用の関数と異なることを特徴とする、請求項１５に記載の画像表示装置。
【請求項１７】
前記表示パネルは、第５領域と第６領域とを有し、
前記駆動回路は、前記第５領域内の画素に対して前記画素データの全体を書き込み、前記第６領域内の画素に対して前記画素データの一部を書き込むことを特徴とする、請求項２に記載の画像表示装置。
【請求項１８】
前記第５および第６領域は、それぞれ、前記第１および第２領域と同じであることを特徴とする、請求項１７に記載の画像表示装置。
【請求項１９】
２次元状に配置された複数の画素を含み、均一な解像度を有する表示パネルを用いた画像表示方法であって、
複数の画素データを含む第１画像データを、前記第１画像データよりも少数の画素データを含む第２画像データに変換するステップと、
前記第２画像データに基づき、前記表示パネルを駆動するステップとを備え、
前記表示パネルは、１個の画素データが１個の前記画素に書き込まれる第１領域と、１個の画素データが２個以上の前記画素に書き込まれる第２領域とを有すると共に、第３領域と第４領域とを有し、
前記変換するステップは、前記第４領域内の画素の画素データに対して当該画素の基準位置からの距離に応じた演算を行い、前記第３領域内の画素の画素データに対して前記演算を行わないことを特徴とする、画像表示方法。
【発明の詳細な説明】
【技術分野】
【０００１】
本発明は、画像表示装置および画像表示方法に関する。
【背景技術】
【０００２】
液晶表示装置は、薄型、軽量、低消費電力の画像表示装置として広く利用されている。液晶表示装置は、例えば、ヘッドマウントディスプレイ（Head Mount Display：以下、ＨＭＤという）にも利用されている。液晶パネルを用いたＨＭＤにおいて、液晶パネルに左眼用画像と右眼用画像を時分割または領域分割で表示することにより、ＨＭＤを装着した利用者は３次元画像を見ることができる。
【０００３】
低解像度の液晶パネルを用いたＨＭＤでは、表示画面が格子状に見えるスクリーンドアと呼ばれる現象が発生する。このため、ＨＭＤ用の液晶パネルには、高い解像度が要求される。また、高解像度の液晶パネルを用いたＨＭＤでは、液晶パネルに転送すべきデータ量が多くなり、データ転送に要する時間や消費電力が多くなる。このため、高解像度の液晶パネルを用いたＨＭＤでは、液晶パネルに転送するデータ量を削減することが要求される。
【０００４】
ＨＭＤでは液晶パネル上にレンズが配置されるので、利用者には表示画面の周辺部は縮小されて見える。この性質を利用して、周辺部の解像度を中央部の解像度よりも低くした表示パネルを用いて、表示パネルに転送するデータ量を削減する画像表示装置が知られている。例えば、特許文献１には、高解像度の表示領域１０１と低解像度の表示領域１０２とを有する、図１５に示す表示パネルが記載されている。特許文献２には、周辺部の解像度を中央部の解像度よりも低くした、図１６に示す表示パネルが記載されている。
【先行技術文献】
【特許文献】
【０００５】
【特許文献１】特開２００７−９４０８９号公報
【特許文献２】国際公開第２０１３／７６９９４号
【発明の概要】
【発明が解決しようとする課題】
【０００６】
しかしながら、周辺部の解像度を中央部の解像度よりも低くした表示パネルを用いて画像表示装置を構成する場合、画素ピッチやカラーフィルタのサイズが位置によって異なるので、表示パネルの設計や製造が困難になる。一方、解像度が均一な表示パネルを用いて、利用者が認識する表示画面の解像度が位置によって異なる画像表示装置を構成する場合、表示画面の解像度が変化する位置で境界が視認されることが問題になる。
【０００７】
それ故に、解像度が均一な表示パネルを有し、表示画面の解像度が変化する位置で境界が視認されることを防止できる画像表示装置を提供することが課題として挙げられる。
【課題を解決するための手段】
【０００８】
上記の課題は、例えば、２次元状に配置された複数の画素を含み、均一な解像度を有する表示パネルと、複数の画素データを含む第１画像データを、前記第１画像データよりも少数の画素データを含む第２画像データに変換する画像データ変換部と、前記第２画像データに基づき、前記表示パネルを駆動する駆動回路とを備え、前記表示パネルは、１個の画素データが１個の前記画素に書き込まれる第１領域と、１個の画素データが２個以上の前記画素に書き込まれる第２領域とを有すると共に、第３領域と第４領域とを有し、前記画像データ変換部は、前記第４領域内の画素の画素データに対して当該画素の基準位置からの距離に応じた演算を行い、前記第３領域内の画素の画素データに対して前記演算を行わない画像表示装置によって解決することができる。
【０００９】
上記の課題は、２次元状に配置された複数の画素を含み、均一な解像度を有する表示パネルを用いた画像表示方法であって、複数の画素データを含む第１画像データを、前記第１画像データよりも少数の画素データを含む第２画像データに変換するステップと、前記第２画像データに基づき、前記表示パネルを駆動するステップとを備え、前記表示パネルは、１個の画素データが１個の前記画素に書き込まれる第１領域と、１個の画素データが２個以上の前記画素に書き込まれる第２領域とを有すると共に、第３領域と第４領域とを有し、前記変換するステップは、前記第４領域内の画素の画素データに対して当該画素の基準位置からの距離に応じた演算を行い、前記第３領域内の画素の画素データに対して前記演算を行わない画像表示方法によっても解決することができる。
【発明の効果】
【００１０】
上記の画像表示装置および画像表示方法によれば、均一な解像度を有する表示パネルに１個の画素データを１個の画素に書き込む領域と１個の画素データを２個以上の画素に書き込む領域とを設けて、利用者が認識する表示画面の解像度を変化させる場合に、第４領域内の画素の画素データに対して当該画素の基準位置からの距離に応じた演算を行い、第３領域内の画素の画素データに対して演算を行わないことにより、表示画面の一部で元の第１画像データに基づき表示を行いながら、画素に書き込む第２画素データが表示画面の解像度が変化する位置で大きく変化すること防止することができる。したがって、解像度が均一な表示パネルを用いて、表示画面の解像度が変化する位置で境界が視認されることを防止することができる。
【図面の簡単な説明】
【００１１】
【図１】第１の実施形態に係る画像表示装置の構成を示すブロック図である。
【図２】第１の実施形態に係る画像表示装置における液晶パネルの領域分割を示す図である。
【図３】第１の実施形態に係る画像表示装置における画素データと画素の対応関係を示す図である。
【図４Ａ】第１の実施形態に係る画像表示装置における画面中心からの距離とライン数の関係（第１例）を示す図である。
【図４Ｂ】第１の実施形態に係る画像表示装置における画面中心からの距離とライン数の関係（第２例）を示す図である。
【図５Ａ】第１の実施形態に係る画像表示装置における平均演算（第１例）を示す図である。
【図５Ｂ】第１の実施形態に係る画像表示装置における平均演算（第２例）を示す図である。
【図６】第２の実施形態に係る画像表示装置における液晶パネルの領域分割を示す図である。
【図７Ａ】第２の実施形態に係る画像表示装置における画面中心からの距離とライン数の関係（第１例）を示す図である。
【図７Ｂ】第２の実施形態に係る画像表示装置における画面中心からの距離とライン数の関係（第２例）を示す図である。
【図７Ｃ】第２の実施形態に係る画像表示装置における画面中心からの距離とライン数の関係（第３例）を示す図である。
【図７Ｄ】第２の実施形態に係る画像表示装置における画面中心からの距離とライン数の関係（第４例）を示す図である。
【図７Ｅ】第２の実施形態に係る画像表示装置における画面中心からの距離とライン数の関係（第５例）を示す図である。
【図８】第３の実施形態に係る画像表示装置における液晶パネルの領域分割を示す図である。
【図９Ａ】第３の実施形態に係る画像表示装置における画面左端からの距離とライン数の関係（第１例）を示す図である。
【図９Ｂ】第３の実施形態に係る画像表示装置における画面左端からの距離とライン数の関係（第２例）を示す図である。
【図１０】第４の実施形態に係る画像表示装置における液晶パネルの領域分割を示す図である。
【図１１】第４の実施形態に係る画像表示装置における画面左端からの距離とライン数の関係を示す図である。
【図１２Ａ】第５の実施形態に係る画像表示装置における画面中心からの距離とライン数の関係（第１例）を示す図である。
【図１２Ｂ】第５の実施形態に係る画像表示装置における画面中心からの距離とライン数の関係（第２例）を示す図である。
【図１３】第６の実施形態に係る画像表示装置における液晶パネルの領域分割を示す図である。
【図１４Ａ】第６の実施形態に係る画像表示装置を含むＶＲシステム（第１例）を示すブロック図である。
【図１４Ｂ】第６の実施形態に係る画像表示装置を含むＶＲシステム（第２例）を示すブロック図である。
【図１４Ｃ】第６の実施形態に係る画像表示装置を含むＶＲシステム（第３例）を示すブロック図である。
【図１５】従来の表示パネルを示す図である。
【図１６】従来の表示パネルを示す図である。
【発明を実施するための形態】
【００１２】
（第１の実施形態）
図１は、第１の実施形態に係る画像表示装置の構成を示すブロック図である。図１に示す画像表示装置１は、画像データ変換部１０と表示部２０を備えた液晶表示装置である。表示部２０は、タイミング制御回路２１、パネル駆動回路２２、バックライト駆動回路２３、液晶パネル２４、および、バックライト２５を含んでいる。
【００１３】
液晶パネル２４は、２次元状に配置された複数の画素２６を含んでいる。複数の画素２６は、水平方向と垂直方向に一定のピッチ（間隔）で配置される。水平方向のピッチと垂直方向のピッチは、同じでもよく、異なっていてもよい。液晶パネル２４は、位置によらず均一な解像度を有する。
【００１４】
画像データ変換部１０には、複数の画素データを含む画像データＤ１が入力される。画像データ変換部１０は、画像データＤ１に含まれる一部の画素データ（表示画面の周辺部にある画素の画素データ）に対して平均演算（詳細は後述）を行い、平均演算後の画素データを含む画像データＤ２を出力する。画像データＤ２に含まれる画素データの個数は、画像データＤ１に含まれる画素データの個数よりも少ない。このように画像データ変換部１０は、画像データＤ１をより少数の画素データを含む画像データＤ２に変換する。
【００１５】
画像データ変換部１０は、画像データＤ１に含まれる画素データに対して逆ガンマ変換を行い、逆ガンマ変換後の画素データに対して平均演算を行い、平均演算後の画素データに対してガンマ変換を行う。なお、回路量を削減するために、画像データ変換部１０は、逆ガンマ変換とガンマ変換を行うことなく、画像データＤ１に含まれる画素データに対して平均演算を行ってもよい。
【００１６】
タイミング制御回路２１は、パネル駆動回路２２とバックライト駆動回路２３に対してタイミング制御信号ＴＣを出力する。バックライト駆動回路２３は、タイミング制御信号ＴＣに基づき、バックライト２５を駆動する。バックライト２５は、液晶パネル２４の背面側に配置され、液晶パネル２４の背面に光を照射する。
【００１７】
パネル駆動回路２２は、タイミング制御信号ＴＣと画像データＤ２に基づき、液晶パネル２４を駆動する。パネル駆動回路２２は、画像データＤ２に含まれる画素データを画素２６に書き込む。画素２６の透過率は、書き込まれた画素データに応じて変化する。バックライト２５からの出射光の強度が一定のとき、画素２６の輝度は画素２６の透過率に応じて変化する。パネル駆動回路２２を用いて液晶パネル２４内のすべての画素２６に画素データを書き込むことにより、液晶パネル２４に所望の画像を表示することができる。
【００１８】
図２は、液晶パネル２４の領域分割を示す図である。以下、液晶パネル２４の水平方向のサイズを２Ｌｗとし、液晶パネル２４の水平方向の中心位置を画面中心Ｃという。液晶パネル２４内の位置Ｓが画面中心Ｃから距離Ｌｓだけ離れている場合、（Ｌｓ／Ｌｗ）を位置Ｓの「画面中心からの距離」といい、Ｘで表す。画面中心からの距離Ｘが取り得る範囲は、０≦Ｘ≦１である。
【００１９】
液晶パネル２４は、画面中心Ｃから左方向に所定の距離だけ離れた位置に境界線３１を有し、画面中心Ｃから右方向に同じ距離だけ離れた位置に境界線３２を有する。境界線３１、３２は、画面中心からの距離Ｘが０．６の位置に設定されている。本実施形態では、境界線３１、３２に挟まれた部分が１対１領域となり、境界線３１の左側部分と境界線３２の右側部分が１対２領域となる。
【００２０】
液晶パネル２４は、１対１領域では１個の画素データが１個の画素２６に書き込まれ、１対２領域では１個の画素データが水平方向に隣接する２個の画素２６に書き込まれるように構成される。１対２領域では、データ線は、２本ずつ同じ外部端子に接続される。液晶パネル２４では、１個の画素データを書き込む画素２６の個数が、水平方向に２段階に変化する。
【００２１】
これとは別に、液晶パネル２４は、左側領域４１、中央領域４２、および、右側領域４３を有する。画像データ変換部１０は、中央領域４２内の画素２６については、画像データＤ１に含まれる画素データに対して平均演算を行わない。パネル駆動回路２２は、中央領域４２内の画素２６に対して、平均演算を行っていない画素データを書き込む。画像データ変換部１０は、左側領域４１および右側領域４３内の画素２６については、画像データＤ１に含まれる画素データに対して平均演算を行う。パネル駆動回路２２は、左側領域４１および右側領域４３内の画素２６に対して、平均演算後の画素データを書き込む。
【００２２】
図３は、画素データと画素２６の対応関係を示す図である。図３の下段に記載された正方形は、画像データＤ１に含まれる画素データを表す。図３の中段に記載された長方形は、画像データＤ２に含まれる画素データを表す。長方形の幅は、後述するライン数を表す。図３の上段に記載された正方形は、液晶パネル２４に含まれる画素２６を表す。
【００２３】
画像データ変換部１０は、画像データＤ１に含まれる画素Ｐの画素データに対して、以下の処理を行う。まず、画像データ変換部１０は、画素Ｐの画面中心からの距離Ｘを求める。次に、画像データ変換部１０は、画面中心からの距離Ｘに基づき、平均演算で用いるパラメータ（以下、ライン数Ｙという）を求める。ライン数Ｙは、演算対象の画素データの個数を示し、小数部を有する。次に、画像データ変換部１０は、画素Ｐの画素データと画素Ｐと同じ行の画素２６の画素データとの間で、ライン数Ｙに応じた平均演算を行う。
【００２４】
画像データ変換部１０は、画面中心からの距離Ｘに基づきライン数Ｙを求める関数を有し、この関数を用いてライン数Ｙを求める。画像データ変換部１０は、例えば以下の関数Ｆ１１を用いて、画面中心からの距離Ｘに基づきライン数Ｙを求めてもよい（第１例）。この場合、ライン数Ｙは、画面中心からの距離Ｘに応じて図４Ａに示すように変化する。中央領域４２は、画面中心からの距離Ｘが０．２以下の領域である。なお、ライン数Ｙの変化を示す図面に記載された太破線は、同じ画素データが書き込まれる画素２６の個数を示す。
関数Ｆ１１：
Ｙ＝１                          （Ｘ≦０．２のとき）
Ｙ＝６．２５（Ｘ−０．２）2＋１ （０．２＜Ｘ≦０．６のとき）
Ｙ＝−６．２５（Ｘ−１）2＋３   （Ｘ＞０．６のとき）
【００２５】
画像データ変換部１０は、以下の関数Ｆ１２を用いて、画面中心からの距離Ｘに基づきライン数Ｙを求めてもよい（第２例）。この場合、ライン数Ｙは、画面中心からの距離Ｘに応じて図４Ｂに示すように変化する。中央領域４２は、画面中心からの距離Ｘが０．４以下の領域である。
関数Ｆ１２：
Ｙ＝１        （Ｘ≦０．４のとき）
Ｙ＝５Ｘ−１  （０．４＜Ｘ≦０．８のとき）
Ｙ＝３        （Ｘ＞０．８のとき）
【００２６】
関数Ｆ１１、Ｆ１２は、画面中心からの距離Ｘが取り得る範囲内（０≦Ｘ≦１）で連続している。関数Ｆ１１の値は、１対１領域内の一部の画素（０．２＜Ｘ≦０．６である画素）について１よりも大きい。関数Ｆ１２の値は、１対１領域内の一部の画素（０．４＜Ｘ≦０．６である画素）について１よりも大きい。関数Ｆ１１、Ｆ１２の値は、１対２領域内の画素（Ｘ＞０．６である画素）について２以上、すなわち、当該画素と同じ画素データが書き込まれる画素の個数以上である。
【００２７】
関数Ｙ＝６．２５（Ｘ−０．２）2 ＋１は、０．２＜Ｘ＜０．６の範囲内で滑らかに変化する。関数Ｙ＝−６．２５（Ｘ−１）2 ＋３は、０．６＜Ｘ＜１の範囲内で滑らかに変化する。Ｘ＝０．２において、関数Ｙ＝６．２５（Ｘ−０．２）2 ＋１の左側微分係数は、関数Ｙ＝１の右側微分係数に一致する。Ｘ＝０．６において、関数Ｙ＝６．２５（Ｘ−０．２）2 ＋１の右側微分係数は、関数Ｙ＝−６．２５（Ｘ−１）2 ＋１の左側微分係数に一致する。したがって、関数Ｆ１１は、画面中心からの距離Ｘが取り得る範囲内で滑らかに変化する。関数Ｆ１２は、Ｘ＝０．４とＸ＝０．８において滑らかに変化しない。しかし、関数Ｆ１２を用いることにより、画面中心からの距離Ｘに基づきライン数Ｙを容易に求めることができる。
【００２８】
１対１領域（境界線３１、３２に挟まれた部分）では、画像データＤ２に含まれる画素データは、液晶パネル２４の１個の画素２６（以下、対象画素という）に書き込まれる。また、この領域では、１≦Ｙ≦２が成立する。この場合、画像データ変換部１０は、次式（１）および（２）に従い平均演算を行う（図５Ａを参照）。
ｋ＝（Ｙ−１）／２  …（１）
Ｑ＝（ｋＰL＋ＰT＋ｋＰR）／Ｙ  …（２）
ただし、式（２）において、ＰT は対象画素の画素データ、ＰL は対象画素の左隣の画素の画素データ、ＰR は対象画素の右隣の画素の画素データ、Ｑは対象画素の平均演算後の画素データである。
【００２９】
１対２領域（境界線３１の左側部分と境界線３２の右側部分）では、画像データＤ２に含まれる画素データは、液晶パネル２４の水平方向に隣接する２個の画素２６（以下、左から順に、左対象画素および右対象画素という）に書き込まれる。また、この領域では、２＜Ｙ≦３が成立する。この場合、画像データ変換部１０は、次式（３）および（４）に従い平均演算を行う（図５Ｂを参照）。
ｋ＝（Ｙ−２）／２  …（３）
Ｑ＝（ｋＰL＋ＰTL＋ＰTR＋ｋＰR）／Ｙ  …（４）
ただし、式（４）において、ＰTLは左対象画素の画素データ、ＰTRは右対象画素の画素データ、ＰL は左対象画素の左隣の画素の画素データ、ＰR は右対象画素の右隣の画素の画素データである。
【００３０】
例えば、Ｙ＝１のときには、式（２）から次式（５ａ）が導かれる。Ｙ＝１．６のときには、式（２）から次式（５ｂ）が導かれる。Ｙ＝２．４のときには、式（４）から次式（５ｃ）が導かれる。Ｙ＝３のときには、式（４）から次式（５ｄ）が導かれる。なお、Ｙ＝１のときには、画像データ変換部１０は平均演算を行わない。
Ｑ＝ＰT   …（５ａ）
Ｑ＝（０．３ＰL＋ＰT＋０．３ＰR）／１．６         …（５ｂ）
Ｑ＝（０．２ＰL＋ＰTL＋ＰTR＋０．２ＰR）／２．４  …（５ｃ）
Ｑ＝（０．５ＰL＋ＰTL＋ＰTR＋０．５ＰR）／３      …（５ｄ）
【００３１】
このように、ライン数Ｙの整数部がＹａ、ライン数Ｙの小数部がＹｂのとき、画像データ変換部１０は、平均演算として、水平方向に並んだＹａ個の画素２６の画素データ、Ｙａ個の画素２６に左方向に隣接する画素の画素データと（Ｙｂ／２）の積、Ｙａ個の画素２６に右方向に隣接する画素の画素データと（Ｙｂ／２）の積を加算し、ライン数Ｙで除算する演算を行う。
【００３２】
なお、画像データ変換部１０は、上記の平均演算に代えて、画素間の距離に応じた加重平均演算を行ってもよい。一般に、ライン数Ｙの整数部がＹａのとき、画像データ変換部１０は、水平方向に並んだＹａ個の画素２６の画素データと、Ｙａ個の画素２６に水平方向に隣接する２個の画素２６の画素データとに対して、ライン数Ｙに応じた演算を行えばよい。
【００３３】
画像表示装置１では、均一な解像度を有する液晶パネル２４に、１個の画素データを１個の画素２６に書き込む領域と１個の画素データを２個の画素２６に書き込む領域とが設けられる。このため、利用者が認識する表示画面の解像度は、位置によって異なる。上述したように、解像度が均一な液晶パネルを用いて、表示画面の解像度が位置によって異なる画像表示装置を構成する場合、特段の工夫を行わなければ、表示画面の解像度が変化する位置で境界が視認されることが問題となる。
【００３４】
画像データ変換部１０は、左側領域４１および右側領域４３内の画素２６の画素データに対して、当該画素の画面中心からの距離Ｘに応じた演算を行う一方で、中央領域４２内の画素２６の画素データに対して演算を行わない。したがって、表示画面の一部で元の画像データＤ１に基づき表示を行いながら、画素２６に書き込む画素データＤ２が表示画面の解像度が変化する位置で大きく変化すること防止することができる。よって、解像度が均一な液晶パネル２４を用いて、表示画面の解像度が変化する位置で境界が視認されることを防止することができる。
【００３５】
以上に示すように、本実施形態に係る画像表示装置１は、２次元状に配置された複数の画素２６を含み、均一な解像度を有する表示パネル（液晶パネル２４）と、複数の画素データを含む第１画像データ（画像データＤ１）を、第１画像データよりも少数の画素データを含む第２画像データ（画像データＤ２）に変換する画像データ変換部１０と、第２画像データに基づき、表示パネルを駆動する駆動回路（パネル駆動回路２２）とを備えている。表示パネルは、１個の画素データが１個の画素２６に書き込まれる第１領域（１対１領域）と、１個の画素データが２個の画素２６に書き込まれる第２領域（１対２領域）とを有すると共に、第３領域（中央領域４２）と第４領域（左側領域４１と右側領域４３）とを有する。画像データ変換部１０は、第４領域内の画素の画素データに対して当該画素の基準位置からの距離（画面中心からの距離Ｘ）に応じた演算を行い、第３領域内の画素の画素データに対して演算を行わない。本実施形態に係る画像表示装置１によれば、解像度が均一な表示パネルを用いて、表示画面の解像度が変化する位置で境界が視認されることを防止することができる。
【００３６】
画像データ変換部１０は、表示パネルに含まれる画素２６について距離に基づき、演算対象の画素データの個数を示し、小数部を有するパラメータ（ライン数Ｙ）を求め、パラメータに応じた演算を行う。小数部を有するパラメータを用いることにより、距離に応じて演算を細かく切り替え、第２画素データが表示画面の解像度が変化する位置で大きく変化すること防止することができる。
【００３７】
画像データ変換部１０が有する関数（関数Ｆ１１など）は、表示パネルの中心からの距離（画面中心からの距離Ｘ）に基づきパラメータを求める。関数は、距離が取り得る範囲（０≦Ｘ≦１の範囲）内で連続していることが好ましい。これにより、第２画素データが不必要な位置で不連続に変化すること防止することができる。関数は、距離が取り得る範囲内で滑らかに変化することが好ましい。これにより、距離に応じて演算を好適に切り替え、第２画素データが表示画面の解像度が変化する位置で大きく変化すること防止することができる。関数の値は、第１領域内の画素２６の一部について１よりも大きいことが好ましい。これにより、１個の画素に書き込む画素データを、少なくとも隣接画素の画素データを考慮して求めることができる。関数の値は、第２領域内の画素２６について２以上であることが好ましい。これにより、２個の画素に書き込む画素データを、少なくとも隣接画素の画素データを考慮して求めることができる。
【００３８】
パラメータの整数部がＹａのとき、画像データ変換部１０は、第１方向に並んだＹａ個の画素２６の画素データ、および、Ｙａ個の画素２６に第１方向に隣接する第１および第２画素の画素データに対して演算を行う。これにより、パラメータが示す個数の画素データについて演算を行うことができる。パラメータの小数部がＹｂのとき、画像データ変換部１０は、Ｙａ個の画素２６の画素データ、第１画素の画素データと（Ｙｂ／２）の積、および、第２画素の画素データと（Ｙｂ／２）の積を加算し、パラメータで除算する演算を行う。これにより、小数部を有するパラメータに応じた演算を行うことができる。
【００３９】
表示パネルは、水平方向に順に並んだ第２領域（境界線３１の左側部分）、第１領域（境界線３１、３２に挟まれた部分）、および、第２領域（境界線３２の右側部分）を有し、画像データ変換部１０は、水平方向に並んだ画素２６の画素データに対して演算を行う。これにより、表示画面の解像度が水平方向に２箇所で変化する場合に、表示画面の解像度が変化する位置で境界が視認されることを防止することができる。
【００４０】
（第２の実施形態）
第２〜第７の実施形態に係る画像表示装置は、第１の実施形態に係る画像表示装置１と同じ構成を有する（図１を参照）。第２〜第７の実施形態では、第１の実施形態との相違点を説明する。第２の実施形態に係る画像表示装置の液晶パネル２４では、１個の画素データを書き込む画素２６の個数が、水平方向に３段階に変化する。
【００４１】
図６は、本実施形態に係る画像表示装置における液晶パネル２４の領域分割を示す図である。液晶パネル２４には、境界線３１、３２に加えて、画面中心Ｃから左方向に境界線３１よりも離れた位置に境界線３３を有し、画面中心Ｃから右方向に境界線３２よりも離れた位置に境界線３４を有する。境界線３３、３４は、画面中心からの距離Ｘが０．８の位置に設定されている。本実施形態では、境界線３１、３２に挟まれた部分が１対１領域となり、境界線３１、３３に挟まれた部分と境界線３２、３４に挟まれた部分が１対２領域となり、境界線３３の左側部分と境界線３４の右側部分が１対３領域となる。
【００４２】
液晶パネル２４は、１対１領域では１個の画素データが１個の画素２６に書き込まれ、１対２領域では１個の画素データが水平方向に隣接する２個の画素２６に書き込まれ、１対３領域では１個の画素データが水平方向に隣接する３個の画素２６に書き込まれるように構成される。１対３領域では、データ線は、３本ずつ同じ外部端子に接続される。
【００４３】
画像データ変換部１０は、画像データＤ１に含まれる画素Ｐの画素データに対して、第１の実施形態と同じ処理を行う。ただし、本実施形態に係る画像データ変換部１０は、例えば以下に示す関数を用いて、画面中心からの距離Ｘに基づきライン数Ｙを求める。
【００４４】
画像データ変換部１０は、以下の関数Ｆ２１を用いて、画面中心からの距離Ｘに基づきライン数Ｙを求めてもよい（第１例）。この場合、ライン数Ｙは、画面中心からの距離Ｘに応じて図７Ａに示すように変化する。中央領域４２は、画面中心からの距離Ｘが０．２以下の領域である。
関数Ｆ２１：
Ｙ＝１                          （Ｘ≦０．２のとき）
Ｙ＝６．２５（Ｘ−０．２）2＋１ （０．２＜Ｘ≦０．６のとき）
Ｙ＝５Ｘ−１                    （Ｘ＞０．６のとき）
【００４５】
画像データ変換部１０は、以下の関数Ｆ２２を用いて、画面中心からの距離Ｘに基づきライン数Ｙを求めてもよい（第２例）。この場合、ライン数Ｙは、画面中心からの距離Ｘに応じて図７Ｂに示すように変化する。中央領域４２は、画面中心からの距離Ｘが０．１以下の領域である。なお、関数Ｆ２２のグラフは、点（０．８，３）を通過するが、点（０．６，２）を通過しない。
関数Ｆ２２：
Ｙ＝１                                （Ｘ≦０．１のとき）
Ｙ＝２００／４９×（Ｘ−０．１）2＋１ （Ｘ＞０．１のとき）
【００４６】
画像データ変換部１０は、以下の関数Ｆ２３を用いて、画面中心からの距離Ｘに基づきライン数Ｙを求めてもよい（第３例）。この場合、ライン数Ｙは、画面中心からの距離Ｘに応じて図７Ｃに示すように変化する。中央領域４２は、画面中心からの距離Ｘが０．４以下の領域である。
関数Ｆ２３：
Ｙ＝１        （Ｘ≦０．４のとき）
Ｙ＝５Ｘ−１  （Ｘ＞０．４のとき）
【００４７】
画像データ変換部１０は、以下の関数Ｆ２４を用いて、画面中心からの距離Ｘに基づきライン数Ｙを求めてもよい（第４例）。この場合、ライン数Ｙは、画面中心からの距離Ｘに応じて図７Ｄに示すように変化する。中央領域４２は、画面中心からの距離Ｘが０．２以下の領域である。
関数Ｆ２４：
Ｙ＝１                        （Ｘ≦０．２のとき）
Ｙ＝１０（Ｘ−０．２）2＋１   （Ｘ＞０．２のとき）
【００４８】
画像データ変換部１０は、以下の関数Ｆ２５を用いて、画面中心からの距離Ｘに基づきライン数Ｙを求めてもよい（第５例）。この場合、ライン数Ｙは、画面中心からの距離Ｘに応じて図７Ｅに示すように変化する。中央領域４２は、画面中心からの距離Ｘが０．２以下の領域である。
関数Ｆ２５：
Ｙ＝１                      （Ｘ≦０．２のとき）
Ｙ＝３（Ｘ−０．２）2＋１   （Ｘ＞０．２のとき）
【００４９】
関数Ｆ２１〜Ｆ２５は、画面中心からの距離Ｘが取り得る範囲内（０≦Ｘ≦１）で連続している。関数Ｆ２１、Ｆ２４、Ｆ２５の値は、１対１領域内の一部の画素（０．２＜Ｘ≦０．６である画素）について１よりも大きい。関数Ｆ２２の値は、１対１領域内の一部の画素（０．１＜Ｘ≦０．６である画素）について１よりも大きい。関数Ｆ２３の値は、１対１領域内の一部の画素（０．４＜Ｘ≦０．６である画素）について１よりも大きい。関数Ｆ２１〜Ｆ２４の値は、１対２領域内の画素（０．６＜Ｘ≦０．８である画素）について２以上、１対３領域内の画素（Ｘ≧０．８である画素）について３以上である。すなわち、関数Ｆ２１〜Ｆ２４の値は、１対２領域および１対３領域内の画素について、当該画素と同じ画素データが書き込まれる画素の個数以上である。関数Ｆ２１、Ｆ２２、Ｆ２４、Ｆ２５は、画面中心からの距離Ｘが取り得る範囲内で滑らかに変化する。関数Ｆ２３は、Ｘ＝０．４において滑らかに変化しない。しかし、関数Ｆ２３を用いることにより、画面中心からの距離Ｘに基づきライン数Ｙを容易に求めることができる。
【００５０】
１対１領域（境界線３１、３２に挟まれた部分）では、画像データＤ２に含まれる画素データは、液晶パネル２４の１個の画素２６に書き込まれる。また、この部分では、１≦Ｙ＜３が成立する。この場合、画像データ変換部１０は、式（１）および（２）に従い平均演算を行う。
【００５１】
１対２領域（境界線３１、３３に挟まれた部分と境界線３２、３４に挟まれた部分）では、画像データＤ２に含まれる画素データは、液晶パネル２４の水平方向に隣接する２個の画素２６に書き込まれる。また、この領域では、１＜Ｙ＜５が成立する。１＜Ｙ≦２の場合、画像データ変換部１０は、次式（６）に従い平均演算を行う。２＜Ｙ≦４の場合、画像データ変換部１０は、式（３）および（４）に従い平均演算を行う。４＜Ｙ＜５の場合、画像データ変換部１０は、次式（７）および（８）に従い平均演算を行う。
Ｑ＝（ＰTL＋ＰTR）／２  …（６）
ｋ＝（Ｙ−４）／２  …（７）
Ｑ＝（ｋ×ＰL2＋ＰL＋ＰTL＋ＰTR＋ＰR＋ｋ×ＰR2）／Ｙ  …（８）
ただし、式（８）において、ＰL2は左対象画素の左側２番目の画素の画素データ、ＰR2は右対象画素の右側２番目の画素の画素データである。
【００５２】
１対３領域（境界線３３の左側部分と境界線３４の右側部分）では、画像データＤ２に含まれる画素データは、液晶パネル２４の水平方向に隣接する３個の画素２６（以下、左から順に、左対象画素、中央対象画素、および、右対象画素という）に書き込まれる。また、この領域では、２＜Ｙ＜８が成立する。２＜Ｙ≦３の場合、画像データ変換部１０は、次式（９）および（１０）に従い平均演算を行う。３＜Ｙ≦５の場合、画像データ変換部１０は、次式（１１）および（１２）に従い平均演算を行う。５＜Ｙ≦７の場合、画像データ変換部１０は、次式（１３）および（１４）に従い平均演算を行う。７＜Ｙ＜８の場合、画像データ変換部１０は、次式（１５）および（１６）に従い平均演算を行う。
ｋ＝（Ｙ−１）／２  …（９）
Ｑ＝（ｋＰTL＋ＰTC＋ｋＰTR）／Ｙ  …（１０）
ｋ＝（Ｙ−３）／２  …（１１）
Ｑ＝（ｋＰL＋ＰTL＋ＰTC＋ＰTR＋ｋＰR）／Ｙ  …（１２）
ｋ＝（Ｙ−５）／２  …（１３）
Ｑ＝（ｋＰL2＋ＰL＋ＰTL＋ＰTC＋ＰTL＋ＰR＋ｋＰR2）／Ｙ  …（１４）
ｋ＝（Ｙ−７）／２  …（１５）
Ｑ＝（ｋＰL3＋ＰL2＋ＰL＋ＰTL＋ＰTC＋ＰTR＋ＰR＋ＰR2＋ｋＰR3）／Ｙ
…（１６）
ただし、以上の式において、ＰTCは中央対象画素の画素データ、ＰL3は左対象画素の左側３番目の画素の画素データ、ＰR3は右対象画素の右側３番目の画素の画素データである。
【００５３】
本実施形態に係る画像表示装置によれば、均一な解像度を有する表示パネルに１対１領域、１対２領域、および、１対３領域を設けて、表示画面の解像度を水平方向に３段階に変化させる場合に、表示画面の解像度が変化する位置で境界が視認されることを防止することができる。
【００５４】
（第３の実施形態）
第３の実施形態に係る画像表示装置の液晶パネル２４は、２個の画面中心を有する。例えば、液晶パネルを用いたＨＭＤでは、３次元画像を表示するために、液晶パネル上に２個のレンズが配置される。この場合、液晶パネルは、左眼用表示画面の中心と右眼用表示画面の中心とを有する。
【００５５】
図８は、本実施形態に係る液晶表示装置における液晶パネル２４の領域分割を示す図である。以下、液晶パネル２４の水平方向のサイズを４Ｌｗとし、液晶パネル２４の左半分の水平方向の中心位置を画面中心Ｃ１、液晶パネル２４の右半分の水平方向の中心位置を画面中心Ｃ２という。液晶パネル２４内の位置Ｓが液晶パネル２４の左端から距離Ｌｓだけ離れている場合、（Ｌｓ／Ｌｗ）を位置Ｓの「画面左端からの距離」といい、Ｚで表す。画面左端からの距離Ｚが取り得る範囲は、０≦Ｚ≦４である。
【００５６】
液晶パネル２４は、画面中心Ｃ１から左方向に所定の距離だけ離れた位置に境界線５１を有し、画面中心Ｃ１から右方向に同じ距離だけ離れた位置に境界線５２を有し、画面中心Ｃ２から左方向に同じ距離だけ離れた位置に境界線５３を有し、画面中心Ｃ２から右方向に同じ距離だけ離れた位置に境界線５４を有する。境界線５１〜５４は、それぞれ、画面左端からの距離Ｚが０．４、１．６、２．４、および、３．６の位置に設定されている。本実施形態では、境界線５１、５２に挟まれた部分と境界線５３、５４に挟まれた部分が１対１領域となり、境界線５１の左側部分、境界線５２、５３に挟まれた部分、および、境界線５４の右側部分が１対２領域となる。
【００５７】
これとは別に、液晶パネル２４は、左側領域６１、第１中央領域６２、中間領域６３、第２中央領域６４、および、右側領域６５を有する。第１中央領域６２および第２中央領域６４内の画素２６には、平均演算を行っていない画素データが書き込まれる。左側領域６１、中間領域６３、および、右側領域６５内の画素２６には、平均演算後の画素データが書き込まれる。
【００５８】
画像データ変換部１０は、画像データＤ１に含まれる画素Ｐの画素データに対して、第１の実施形態と同じ処理を行う。ただし、本実施形態に係る画像データ変換部１０は、例えば以下に示す関数を用いて、画面左端からの距離Ｚに基づきライン数Ｙを求める。
【００５９】
画像データ変換部１０は、以下の関数Ｆ３１を用いて、画面左端からの距離Ｚに基づきライン数Ｙを求めてもよい（第１例）。この場合、ライン数Ｙは、画面左端からの距離Ｚに応じて図９Ａに示すように変化する。第１中央領域６２は、画面左端からの距離Ｚが０．８以上１．２以下の領域である。第２中央領域６４は、画面左端からの距離Ｚが２．８以上３．２以下の領域である。
関数Ｆ３１：
Ｙ＝６．２５（Ｚ−０．８）2＋１   （Ｚ≦０．８のとき）
Ｙ＝１                            （０．８＜Ｚ≦１．２のとき）
Ｙ＝６．２５（Ｚ−１．２）2＋１   （１．２＜Ｚ≦２のとき）
Ｙ＝６．２５（Ｚ−２．８）2＋１   （２＜Ｚ≦２．８のとき）
Ｙ＝１                            （２．８＜Ｚ≦３．２のとき）
Ｙ＝６．２５（Ｚ−３．２）2＋１   （Ｚ＞３．２のとき）
【００６０】
画像データ変換部１０は、以下の関数Ｆ３２を用いて、画面左端からの距離Ｚに基づきライン数Ｙを求めてもよい（第２例）。この場合、ライン数Ｙは、画面左端からの距離Ｚに応じて図９Ｂに示すように変化する。第１中央領域６２は、画面左端からの距離Ｚが０．８以上１．２以下の領域である。第２中央領域６４は、画面左端からの距離Ｚが２．８以上３．２以下の領域である。
関数Ｆ３２：
Ｙ＝−６．２５Ｚ2＋３               （Ｚ≦０．４のとき）
Ｙ＝６．２５（Ｚ−０．８）2＋１     （０．４＜Ｚ≦０．８のとき）
Ｙ＝１                              （０．８＜Ｚ≦１．２のとき）
Ｙ＝６．２５（Ｚ−１．２）2＋１     （１．２＜Ｚ≦１．６のとき）
Ｙ＝−６．２５（Ｚ−２）2＋３       （１．６＜Ｚ≦２．４のとき）
Ｙ＝６．２５（Ｚ−２．８）2＋１     （２．４＜Ｚ≦２．８のとき）
Ｙ＝１                              （２．８＜Ｚ≦３．２のとき）
Ｙ＝６．２５（Ｚ−３．２）2＋１     （３．２＜Ｚ≦３．６のとき）
Ｙ＝−６．２５（Ｚ−４）2＋３       （Ｚ＞３．６のとき）
【００６１】
関数Ｆ３１、Ｆ３２は、画面左端からの距離Ｚが取り得る範囲内（０≦Ｚ≦４）で連続している。関数Ｆ３１、Ｆ３２の値は、１対１領域内の一部の画素（０．４≦Ｚ＜０．８、１．２＜Ｚ≦１．６、２．４≦Ｚ＜２．８、または、３．２＜Ｚ≦３．６である画素）について１よりも大きい。関数Ｆ３１、Ｆ３２の値は、１対２領域内の画素（Ｚ＜０．４、１．６＜Ｚ＜２．４、または、Ｚ＞３．６である画素）について２以上、すなわち、当該画素と同じ画素データが書き込まれる画素の個数以上である。関数Ｆ３１は、画面左端からの距離Ｚが取り得る範囲内で滑らかに変化する。
【００６２】
１対１領域（境界線５１、５２に挟まれた部分と境界線５３、５４に挟まれた部分）では、画像データＤ２に含まれる画素データは、液晶パネル２４の１個の画素２６に書き込まれる。また、この領域では、１≦Ｙ≦２が成立する。この場合、画像データ変換部１０は、式（１）および（２）に従い平均演算を行う。
【００６３】
１対２領域（境界線５１の左側部分、境界線５２、５３に挟まれた部分、および、境界線５４の右側部分）では、画像データＤ２に含まれる画素データは、液晶パネル２４の水平方向に隣接する２個の画素２６に書き込まれる。また、この領域では、２＜Ｙ≦５が成立する。２＜Ｙ≦３の場合、画像データ変換部１０は、式（９）および（１０）に従い平均演算を行う。３＜Ｙ≦５の場合、画像データ変換部１０は、式（１１）および（１２）に従い平均演算を行う。
【００６４】
本実施形態に係る画像表示装置では、画像データ変換部１０が有する関数（関数Ｆ３１など）は、表示パネルの一辺からの距離（画面左端からの距離Ｚ）に基づきパラメータ（ライン数Ｙ）を求める。表示パネル（液晶パネル２４）は、水平方向に並んだ第２領域（境界線５１の左側部分）、第１領域（境界線５１、５２に挟まれた部分）、第２領域（境界線５２、５３に挟まれた部分）、第１領域（境界線５３、５４に挟まれた部分）、および、第２領域（境界線５４の右側部分）を有し、画像データ変換部１０は、水平方向に並んだ画素２６の画素データに対して演算を行う。これにより、表示パネルが２個の画面中心を有し、表示画面の解像度が水平方向に２段階に変化する場合に、表示画面の解像度が変化する位置で境界が視認されることを防止することができる。
【００６５】
（第４の実施形態）
第４の実施形態に係る画像表示装置の液晶パネル２４は、２個の画面中心を有する。液晶パネル２４では、１個の画素データを書き込む画素２６の個数が、水平方向に３段階に変化する。
【００６６】
図１０は、本実施形態に係る画像表示装置における液晶パネル２４の領域分割を示す図である。液晶パネル２４は、境界線５１〜５４に加えて、画面中心Ｃ１から左方向に境界線５１よりも離れた位置に境界線５５を有し、画面中心Ｃ１から右方向に境界線５２よりも離れた位置に境界線５６を有し、画面中心Ｃ２から左方向に境界線５３よりも離れた位置に境界線５７を有し、画面中心Ｃ２から右方向に境界線５４よりも離れた位置に境界線５８を有する。境界線５５〜５８は、それぞれ、画面左端からの距離Ｚが０．２、１．８、２．２、および、３．８の位置に設定されている。
【００６７】
本実施形態では、境界線５１、５２に挟まれた部分と境界線５３、５４に挟まれた部分が１対１領域となり、境界線５１、５５に挟まれた部分、境界線５２、５６に挟まれた部分、境界線５３、５７に挟まれた部分、および、境界線５４、５８に挟まれた部分が１対２領域となり、境界線５５の左側部分、境界線５６、５７に挟まれた部分、および、境界線５８の右側部分が１対３領域となる。
【００６８】
画像データ変換部１０は、画像データＤ１に含まれる画素Ｐの画素データに対して、第１の実施形態と同じ処理を行う。ただし、本実施形態に係る画像データ変換部１０は、例えば以下の関数Ｆ４１を用いて、画面左端からの距離Ｚに基づきライン数Ｙを求める。この場合、ライン数Ｙは、画面左端からの距離Ｚに応じて図１１に示すように変化する。第１中央領域６２は、画面左端からの距離Ｚが０．８以上１．２以下の領域である。第２中央領域６４は、画面左端からの距離Ｚが２．８以上３．２以下の領域である。
関数Ｆ４１：
Ｙ＝１０（Ｚ−０．８）2＋１   （Ｚ≦０．８のとき）
Ｙ＝１                        （０．８＜Ｚ≦１．２のとき）
Ｙ＝１０（Ｚ−１．２）2＋１   （１．２＜Ｚ≦２のとき）
Ｙ＝１０（Ｚ−２．８）2＋１   （２＜Ｚ≦２．８のとき）
Ｙ＝１                        （２．８＜Ｚ≦３．２のとき）
Ｙ＝１０（Ｚ−３．２）2＋１   （Ｚ＞３．２のとき）
【００６９】
関数Ｆ４１は、画面左端からの距離Ｚが取り得る範囲内（０≦Ｚ≦４）で連続している。関数Ｆ４１の値は、１対１領域内の一部の画素（０．４≦Ｚ＜０．８、１．２＜Ｚ≦１．６、２．４≦Ｚ＜２．８、または、３．２＜Ｚ≦３．６である画素）について１よりも大きい。関数Ｆ４１の値は、１対２領域内の画素（０．２≦Ｚ＜０．４、１．６＜Ｚ≦１．８、２．２≦Ｚ＜２．４、または、３．６＜Ｚ≦３．８である画素）について２以上、１対３領域内の画素（Ｚ＜０．２、１．８＜Ｚ＜２．２、または、Ｚ＞３．８である画素）について３以上である。すなわち、関数Ｆ４１の値は、１対２領域および１対３領域内の画素について、当該画素と同じ画素データが書き込まれる画素の個数以上である。
【００７０】
本実施形態に係る画像表示装置によれば、２個の中心位置を有し、均一な解像度を有する表示パネルに１対１領域、１対２領域、および、１対３領域を設けて、表示画面の解像度を水平方向に３段階に変化させる場合に、表示画面の解像度が変化する位置で境界が視認されることを防止することができる。
【００７１】
（第５の実施形態）
第５の実施形態に係る画像表示装置では、ライン数Ｙを求める関数が画素２６の色に応じて異なる。液晶パネル２４は、赤を表示する赤画素、緑を表示する緑画素、および、青を表示する青画素を含み、図２に示す領域に分割される。
【００７２】
画像データ変換部１０は、赤画素と緑画素については、例えば上述した関数Ｆ１１を用いて、画面中心からの距離Ｘに基づきライン数Ｙを求める。画像データ変換部１０は、青画素については、例えば以下に示す関数を用いて、画面中心からの距離Ｘに基づきライン数Ｙを求める。このように青画素用の関数は、赤画素用の関数、および、緑画素用の関数と異なる。
【００７３】
画像データ変換部１０は、以下の関数Ｆ５１を用いて、画面中心からの距離Ｘに基づきライン数Ｙを求めてもよい（第１例）。この場合、ライン数Ｙは、画面中心からの距離Ｘに応じて図１２Ａに示すように変化する。
関数Ｆ５１：
Ｙ＝１  （Ｘ≦０．６のとき）
Ｙ＝２  （Ｘ＞０．６のとき）
【００７４】
画像データ変換部１０は、以下の関数Ｆ５２を用いて、画面中心からの距離Ｘに基づきライン数Ｙを求めてもよい（第２例）。この場合、ライン数Ｙは、画面中心からの距離Ｘに応じて図１２Ｂに示すように変化する。
関数Ｆ５２：
Ｙ＝１  （Ｘ≦０．２のとき）
Ｙ＝２  （Ｘ＞０．２のとき）
【００７５】
一般に、青画素の輝度は、赤画素および緑画素の輝度よりも低い。このため、青画素で構成される青画面の解像度を低くしても、利用者は表示画像の変化を認識しにくい。したがって、青画素用の関数が滑らかに変化しなくても、利用者は表示画像の変化をほとんど認識できない。青画素用の関数として、関数Ｆ５１、Ｆ５２のように階段状に変化する関数を用いることにより、表示画像をほとんど変化させることなく、青画素についてライン数Ｙを容易に求め、平均演算を容易に行うことができる。
【００７６】
以上に示す例では、赤画素用の関数と緑画素用の関数は同じで、青画素用の関数は赤画素用の関数、および、緑画素用の関数と異なることとした。これに代えて、緑画素用の関数と青画素用の関数は同じで、赤画素用の関数は緑画素用の関数、および、青画素用の関数と異なっていてもよい。また、赤画素用の関数、緑画素用の関数、および、青画素用の関数は、すべて異なっていてもよい。
【００７７】
本実施形態に係る画像表示装置では、画像データ変換部１０が有する関数は、画素２６の色に応じて異なる。これにより、色の特性に応じて好適な関数を使用することができる。表示パネル（液晶パネル２４）は赤画素と緑画素と青画素とを含み、青画素用の関数は、赤画素用の関数、および、緑画素用の関数と異なる。これにより、表示画像をほとんど変化させることなく、青画素についてパラメータ（ライン数Ｙ）を容易に求め、平均演算を容易に行うことができる。
【００７８】
（第６の実施形態）
第６の実施形態に係る液晶パネル２４では、１個の画素データを書き込む画素２６の個数が、水平方向と垂直方向に変化する。
【００７９】
図１３は、本実施形態に係る画像表示装置における液晶パネル２４の領域分割を示す図である。以下、液晶パネル２４の垂直方向の中心位置を画面中心Ｃ３という。液晶パネル２４は、画面中心Ｃから左方向に所定の距離だけ離れた位置に境界線７１を有し、画面中心Ｃから右方向に同じ距離だけ離れた位置に境界線７２を有し、画面中心Ｃ３から上方向に所定の距離だけ離れた位置に境界線７３を有し、画面中心Ｃ３から下方向に同じ距離だけ離れた位置に境界線７４を有する。本実施形態では、境界線７１〜７４で囲まれた部分が１対１領域、残余の部分が１対多領域となる。
【００８０】
液晶パネル２４は、１対１領域では１個の画素データが１個の画素２６に書き込まれ、１対多領域では１個の画素データが水平方向に隣接する２個の画素２６、垂直方向に隣接する２個の画素２６、または、水平方向と垂直方向に隣接する４個の画素２６に書き込まれるように構成される。
【００８１】
画像データ変換部１０は、画像データＤ１に含まれる画素Ｐの画素データに対して、以下の処理を行う。まず、画像データ変換部１０は、液晶パネル２４の水平方向の中心位置を画面中心とし、このときの画素Ｐの画面中心からの距離Ｘ１を求める。次に、画像データ変換部１０は、画面中心からの距離Ｘ１に基づき水平方向のライン数Ｙ１を求める。次に、画像データ変換部１０は、画素Ｐの画素データと、画素Ｐと同じ行に配置された画素２６の画素データとの間で、水平方向のライン数Ｙ１に応じた平均演算を行う。
【００８２】
次に、画像データ変換部１０は、液晶パネル２４の垂直方向の中心位置を画面中心とし、このときの画素Ｐの画面中心からの距離Ｘ２を求める。次に、画像データ変換部１０は、画面中心からの距離Ｘ２に基づき垂直方向のライン数Ｙ２を求める。次に、画像データ変換部１０は、画素Ｐの水平方向の平均演算後の画素データと、画素Ｐと同じ列に配置された画素２６の水平方向の平均演算後の画素データとの間で、垂直方向のライン数Ｙ２に応じた平均演算を行う。
【００８３】
画像データ変換部１０は、水平方向の平均演算と垂直方向の平均演算のいずれを先に行ってもよい。画像データ変換部１０は、水平方向のライン数Ｙ１を求めるときと、垂直方向のライン数Ｙ２を求めるときとで同じ関数を用いてもよく、異なる関数を用いてもよい。画像データ変換部１０は、液晶パネル２４内の２次元位置に基づき、水平方向のライン数Ｙ１と垂直方向のライン数Ｙ２を一緒に求めてもよい。
【００８４】
本実施形態に係る画像表示装置では、表示パネル（液晶パネル２４）は、中央部に第１領域（境界線７１〜７４で囲まれた部分）を有し、周辺部に第２領域（残余の部分）を有し、画像データ変換部１０は、水平方向に並んだ画素２６の画素データに対して平均演算を行うと共に、垂直方向に並んだ画素２６の画素データに対して平均演算を行う。本実施形態に係る画像表示装置によれば、表示画面の解像度が水平方向と垂直方向に変化する場合に、表示画面の解像度が変化する位置で境界が視認されることを防止することができる。
【００８５】
以下、第６の実施形態に係る画像表示装置を含むシステムの例として、ＶＲ（Virtual Reality ）システムについて説明する。図１４Ａ〜図１４Ｃは、それぞれ、ＶＲシステムの第１〜第３例を示すブロック図である。ここでは、液晶パネル２４は３Ｋ×３Ｋ個（３０７２×３０７２個）の画素２６を含むものとし、この液晶パネルを「３Ｋ３Ｋパネル」という。３Ｋ３Ｋパネルは、同じ行または同じ列に配置された３０７２個の画素のうち、１０２４個には画素データが１個ずつ書き込まれ、残り２０４８個には同じ画素データが２個ずつ書き込まれるとする。３Ｋ３Ｋパネルに書き込まれる画素データの個数は、２Ｋ×２Ｋ個（２０４８×２０４８個）である。
【００８６】
図１４Ａ〜図１４Ｃに示すＶＲシステムには、３Ｋ×３Ｋ個の画素データを含む画像データに対して、水平方向の平均演算と垂直方向の平均演算を行う画像データ変換部（図示せず）が設けられる。画像データ変換部は、図１３Ａ〜図１３Ｃにおいてハッチングされた要素に含まれる。
【００８７】
第１例に係るＶＲシステム（図１４Ａ）は、ＶＲセット８０ａとパネルモジュール９０ａを備えている。ＶＲセット８０ａは、３次元画像生成部８１を含んでいる。パネルモジュール９０ｂは、タイミング制御回路９１、パネル駆動回路９２、および、３Ｋ３Ｋパネル９３を含んでいる。３次元画像生成部８１は、３Ｋ×３Ｋ個の画素データを含む３次元表示用の画像データを生成する。生成された画像データは、ＶＲセット８０ａからパネルモジュール９０ａに転送される。タイミング制御回路９１は、内部の画像データ変換部を用いて、ＶＲセット８０ａから転送された画像データを２Ｋ×２Ｋ個の画素データを含む画像データに変換する。パネル駆動回路９２は、変換後の画像データに基づき、３Ｋ３Ｋパネル９３を駆動する。第１例に係るＶＲシステムによれば、パネル駆動回路９２と３Ｋ３Ｋパネル９３の間のデータ転送量を削減することができる。
【００８８】
第２例に係るＶＲシステム（図１４Ｂ）は、ＶＲセット８０ｂとパネルモジュール９０ｂを備えている。ＶＲセット８０ｂは、３次元画像生成部８１と出力部８２を含んでいる。パネルモジュール９０ｂは、タイミング制御／パネル駆動回路９４と３Ｋ３Ｋパネル９３を含んでいる。３次元画像生成部８１は、３Ｋ×３Ｋ個の画素データを含む３次元表示用の画像データを生成する。出力部８２は、内部の画像データ変換部を用いて、３次元画像生成部８１で生成された画像データを２Ｋ×２Ｋ個の画素データを含む画像データに変換する。変換後の画像データは、ＶＲセット８０ｂからパネルモジュール９０ｂに転送される。タイミング制御／パネル駆動回路９４は、ＶＲセット８０ｂから転送された画像データに基づき、３Ｋ３Ｋパネル９３を駆動する。第２例に係るＶＲシステムによれば、タイミング制御／パネル駆動回路９４と３Ｋ３Ｋパネル９３の間のデータ転送量と、ＶＲセット８０ｂとパネルモジュール９０ｂの間のデータ転送量とを削減することができる。
【００８９】
第３例に係るＶＲシステム（図１４Ｃ）は、ＶＲセット８０ｃとパネルモジュール９０ｂを備えている。ＶＲセット８０ｃは、３次元画像生成部８３を含んでいる。３次元画像生成部８３は、３Ｋ×３Ｋ個の画素データを含む３次元表示用の画像データを生成し、生成した画像データを内部の画像データ変換部を用いて２Ｋ×２Ｋ個の画素データを含む画像データに変換する。変換後の画像データは、ＶＲセット８０ｃからパネルモジュール９０ｂに転送される。タイミング制御／パネル駆動回路９４は、ＶＲセット８０ｃから転送された画像データに基づき、３Ｋ３Ｋパネル９３を駆動する。第３例に係るＶＲシステムによれば、タイミング制御／パネル駆動回路９４と３Ｋ３Ｋパネル９３の間のデータ転送量と、ＶＲセット８０ｃとパネルモジュール９０ｂの間のデータ転送量を削減することができる。
【００９０】
（第７の実施形態）
第７の実施形態に係る画像表示装置のパネル駆動回路２２は、画素２６の位置によって、画素データの全体を書き込むか、画素データの一部を書き込むかを切り替える。液晶パネル２４は、図２に示すように領域分割される。中央領域４２内の画素２６には、平均演算を行っていない画素データが書き込まれる。この場合、パネル駆動回路２２は、画素データの全ビットを画素２６に書き込む。
【００９１】
左側領域４１および右側領域４３内の画素２６には、平均演算後の画素データが書き込まれる。この場合、パネル駆動回路２２は、画素データの下位ビットを破棄し、画素データの上位ビットを画素２６に書き込む。例えば、画素データが１６ビットデータである場合、パネル駆動回路２２は、画素２６に対して画素データの上位１２ビットを書き込んでもよく、画素データの上位１４ビットを書き込んでもよい。
【００９２】
表示画面の周辺部にある画素２６に画素データの上位ビットのみを書き込んでも、利用者は表示画像の変化をほとんど認識できない。一方、画素２６の位置に応じて画素２６に書き込む画素データのビット数を削減することにより、パネル駆動回路２２の負荷を小さくすることができる。
【００９３】
なお、ここでは、画素データのビット数を削減する範囲を１対２領域に一致させることとしたが、必ずしも両者を一致させる必要はない。画素データのビット数を削減する範囲は、１対２領域よりも小さくてもよい。
【００９４】
一般に、表示パネル（液晶パネル２４）が第５領域と第６領域を有する場合に、駆動回路（パネル駆動回路２２）は、第５領域内の画素に対して画素データの全体を書き込み、第６領域内の画素に対して画素データの一部を書き込めばよい。上記の例では、第５領域および第６領域は、それぞれ、第１領域（１対１領域）および第２領域（第２領域）と同じである。
【００９５】
画像表示装置がオーバーシュート処理を行う場合には、パネル駆動回路２２に代えて、オーバーシュート処理部が画素データのビット数を削減する処理を行ってもよい。このため、オーバーシュート処理部は、オーバーシュート処理用の通常の変換テーブルに加えて、画素データの上位ビットのみを求めるための別の変換テーブルを有していてもよい。あるいは、オーバーシュート処理部は、通常の変換テーブルと、変換後の画素データの下位ビットを破棄する下位ビット破棄部とを有していてもよい。
【００９６】
一般に、青画素の輝度は赤画素の輝度よりも低く、赤画素の輝度は緑画素の輝度よりも低い。そこで、パネル駆動回路２２は、画素２６の色に応じて画素データのビット数を削減する態様を切り替えてもよい。例えば、パネル駆動回路２２は、緑画素に対しては１６ビットの画素データの全体を書き込み、赤画素に対しては画素データの上位１４ビットを書き込み、青画素に対しては画素データの上位１２ビットを書き込んでもよい。
【００９７】
本実施形態に係る画像表示装置によれば、画素２６の位置に応じて画素２６に書き込む画素データのビット数を削減することにより、駆動回路（パネル駆動回路２２）の負荷を小さくすることができる。
【００９８】
なお、以上に述べた各実施形態に係る画像表示装置の特徴をその性質に反しない限り任意に組み合わせて、各種の変形例に係る画像表示装置を構成することができる。また、各実施形態に係る画像表示装置として液晶表示装置について説明してきたが、同様の方法で有機ＥＬディスプレイなど、液晶表示装置以外の画像表示装置を構成することができる。
【符号の説明】
【００９９】
１…画像表示装置
１０…画像データ変換部
２０…表示部
２１…タイミング制御回路
２２…パネル駆動回路
２３…バックライト駆動回路
２４…液晶パネル
２５…バックライト
２６…画素
３１〜３４、５１〜５８、７１〜７４…境界線
４１、６１…左側領域
４２…中央領域
４３、６５…右側領域
６２…第１中央領域
６３…中間領域
６４…第２中央領域
【図１】
2019120870.tif 000003
【図２】
2019120870.tif 000004
【図３】
2019120870.tif 000005
【図４Ａ】
2019120870.tif 000006
【図４Ｂ】
2019120870.tif 000007
【図５Ａ】
2019120870.tif 000008
【図５Ｂ】
2019120870.tif 000009
【図６】
2019120870.tif 000010
【図７Ａ】
2019120870.tif 000011
【図７Ｂ】
2019120870.tif 000012
【図７Ｃ】
2019120870.tif 000013
【図７Ｄ】
2019120870.tif 000014
【図７Ｅ】
2019120870.tif 000015
【図８】
2019120870.tif 000016
【図９Ａ】
2019120870.tif 000017
【図９Ｂ】
2019120870.tif 000018
【図１０】
2019120870.tif 000019
【図１１】
2019120870.tif 000020
【図１２Ａ】
2019120870.tif 000021
【図１２Ｂ】
2019120870.tif 000022
【図１３】
2019120870.tif 000023
【図１４Ａ】
2019120870.tif 000024
【図１４Ｂ】
2019120870.tif 000025
【図１４Ｃ】
2019120870.tif 000026
【図１５】
2019120870.tif 000027
【図１６】
2019120870.tif 000028